(57)【特許請求の範囲】
【請求項１】
住宅の玄関に配置するプッシュプル式玄関錠機構において、室内側バーハンドル４はプッシュにより開放すべく構成し、室外側バーハンドル５はプルにより開放すべく構成し、
かつ、室内側バーハンドル４を支持する室内側バーハンドルアーム１４を２本設け、室外側バーハンドル５を支持する室外側バーハンドルアーム１５も２本設け、
室内側バーハンドルアーム１４の距離ａを、室外側バーハンドルアーム１５の距離ｂよりも大に構成し、
室内側バーハンドル４の上下長さｘを、室外側バーハンドル５の上下長さｙよりも短く構成し、
前記室内側バーハンドル４の上方の位置に、ドアスコープを配置する為の空間を設けたことを特徴とするプッシュプル式玄関錠機構。
【発明の詳細な説明】
【０００１】
【発明の属する技術分野】
本発明は、一般の住宅において、玄関部分に用いられる高級玄関ドアのプッシュプル式玄関錠機構に関する。
【０００２】
【従来の技術】
従来の玄関施錠機構は、室内側と室外側にドアノブが配置されており、該ドアノブを左右方向にねじることにより、ラッチ突起がストライクから後退して、玄関ドアの開閉が出来るように構成されていた。
【０００３】
【発明が解決しようとする課題】
しかし、該従来技術の場合のねじり式ドアノブの場合には、高齢車や障害車にとって、ねじるという操作が困難であり、またよりデザイン性能の向上が求められるようになり、室内側バーハンドルや室外側バーハンドルにより、押しまたは引きの操作だけで、ラッチ突起とストライクの係合が脱着できるように構成したものである。
本発明は、このように、玄関ドアの開閉に際して、容易に開閉操作が出来るように、室内側バーハンドルと室外側バーハンドルをプッシュプル式操作をするだけで、玄関ドアが開閉できるように構成し、玄関ドアの開閉が容易に出来るように構成したものである。
【０００４】
【課題を解決するための手段】
本発明の解決しようとする課題は以上の如くであり、次に該課題を解決するための手段を説明する。
住宅の玄関に配置するプッシュプル式玄関錠機構において、室内側バーハンドル４はプッシュにより開放すべく構成し、室外側バーハンドル５はプルにより開放すべく構成し、かつ、室内側バーハンドル４を支持する室内側バーハンドルアーム１４を２本設け、室外側バーハンドル５を支持する室外側バーハンドルアーム１５も２本設け、室内側バーハンドルアーム１４の距離ａを、室外側バーハンドルアーム１５の距離ｂよりも大に構成し、室内側バーハンドル４の上下長さｘを、室外側バーハンドル５の上下長さｙよりも短く構成し、前記室内側バーハンドル４の上方の位置に、ドアスコープを配置する為の空間を設けたものである。
【０００５】
【発明の実施の形態】
次に本発明の実施の形態を説明する。
図１は住宅のプッシュプル式玄関錠機構を外側から見た図面、図２は同じく本発明のプッシュプル式玄関錠機構の側面図、図３は同じく他の側から見た側面図、図４は室内側バーハンドル４と室外側バーハンドル５とロック機構体８の部分の組立前の状態を示す側面図、図５は本発明のプッシュプル式玄関錠機構を室内側から見た図面、図６は本発明のプッシュプル式玄関錠機構を室外側から見た図面、図７は本発明のプッシュプル式玄関錠機構の平面図、図８は同じくプッシュプル式玄関錠機構の底面図、図９は室内側バーハンドル４と室外側バーハンドル５の部分の拡大平面図、図１０はストライク１３とラッチ突起２と施錠突起９の部分の斜視図、図１１はキー１２を施錠機構１１に差し込む状態を示す斜視図である。
【０００６】
図１において説明する。
玄関ドア枠１６の内部に、補助玄関ドア３と玄関ドア１の２枚が嵌装された大型のプッシュプル式玄関ドアの室外側が図示されている。
このように、補助玄関ドア３が設けられている場合には、ストライク１３の部分は補助玄関ドア３の接当面の内部に配置構成されているのである。
該玄関ドア１と補助玄関ドア３は室外側から図示されているので、室外側には、室外側バーハンドル５と施錠機構１１が図示されている。
【０００７】
図２と図３は、本発明のプッシュプル式玄関錠機構の２方向からの側面図である。
室内側には室内側取付ブラケット６が設けられ、該ロック用のサムターン１０が突出されている。また該取付ブラケット６から室内側バーハンドルアーム１４が突出されて、該室内側バーハンドルアーム１４の先端に断面ハート型の室内側バーハンドル４が固設されている。
また、室外側にも室外側取付ブラケット７が設けられており、該室外側取付ブラケット７に施錠機構１１が固定されている。また該室外側取付ブラケット７から室外側バーハンドルアーム１５が突出されて、該室外側バーハンドルアーム１５の先端に断面ハート型の室外側バーハンドル５が固定されている。
【０００８】
そして、室内側取付ブラケット６と室外側取付ブラケット７の間の位置で、玄関ドア１の内部にロック機構体８が設けられている。該ロック機構体８より、ストライク１３に向けて、室内側バーハンドル４の押し操作と、室外側バーハンドル５の引き操作により、後退するラッチ突起２が嵌入している。
また、サムターン１０の回動操作と、施錠機構１１にキー１２を挿入して回動した場合に突出する施錠突起９も設けられている。
前記の室内側取付ブラケット６を、玄関ドア１の室内側に、室外側取付ブラケット７を玄関ドア１の室外側に接当させて、上下の締結ボルト１７・１８により、室内側取付ブラケット６と室外側取付ブラケット７を、玄関ドア１に対して固定している。
該締結ボルト１７・１８と頭部は、室外側には露出することなく、室外側にのみボルトの頭部か露出されるように構成して、外部からプッシュプル式玄関錠機構の分解が不可能に構成している。
【０００９】
図３と図４に示す如く、室内側バーハンドル４の上下の長さｘの方が、室外側バーハンドル５の上下の長さｙよりも短く構成されている。
このように構成したことにより、室内側バーハンドル４の上部の位置に、内側から外側を覗く為のドアスコープが、室内側バーハンドル４の上部の位置に配置することが可能となっているのである。
室外側バーハンドル５の側からは、ドアスコープを覗くことはないので、室外側バーハンドル５は上下に長く（ｙ）構成しても良いのである。
また、図４に示す如く、ロック機構体８は玄関ドア１の側面側に設けた嵌入孔に嵌装されて、上下のボルト１９・２０により玄関ドア１に固定されている。
【００１０】
次に、図７・図８・図９・図１０・図１１において説明する。
室内側バーハンドル４と室外側バーハンドル５は、アルミの引抜き加工により構成されており、断面がハート型のパイプに構成されている。故に、室内側バーハンドル４と室外側バーハンドル５を断面ハート型としたことにより、プッシュする場合にもプルする場合にも、手の握りがピッタリとフィットすべく構成しているのである。
図９に図示する如く、室外側バーハンドルアーム１５の距離ｂの方を、室内側バーハンドルアーム１４の距離ａよりも短く構成している。
【００１１】
このように、距離ｂと距離ａの如く相違するのは、室内側バーハンドル４がプッシュ操作であり、室外側バーハンドル５がプル操作であることに端を発している。
即ち、最初に出入りする住人が、室内側バーハンドル４又は室外側バーハンドル５の握りを開始する場合に、室内側バーハンドル４と室外側バーハンドル５が配置されている位置と、玄関ドア１の内外面との間の距離ｃ・ｄは、略同じに構成している。
しかし、次に握った状態から、室内側バーハンドル４はプッシュ操作であり、玄関ドア１または室内側取付ブラケット６の側に、指先が接触する方向に押すのであるが、室外側バーハンドル５の側は、腕の筋肉で引くので、力が入り易く、距離ｂが短くても、ラッチ突起２を後退させるに十分な力が発揮できるのである。
これに対して、室内側バーハンドル４の側は、押し操作であり、腕の筋肉で操作せずに、体重を掛けて押す操作であるので、距離ａを長くして、操作力が小でも、ラッチ突起２を十分に後退させる力を発揮できるように構成しているのである。
【００１２】
また、図１０に示す如く、補助玄関ドア３に設けられたストライク１３と、ラッチ突起２と、施錠突起９との対比において、ストライク１３の方を十分に大きく構成し、ラッチ突起２と施錠突起９との間（Ｈ）に、上下方向において余裕の間隙ｓ・ｓが出来るように構成している。
このように構成することにより、大震災が発生した場合に、玄関ドア１と補助玄関ドア３の間で上下に１〜１．５センチのずれが発生しても、サムターン１０の施錠・解錠には影響をしないように、構成しているのである。
この余裕の間隙は、施錠突起９とストライクの間にも構成している。
また、図１１においては、キー１２を施錠機構１１に挿入する部分において、キー１２の差し込み口２３は、大きな傾斜面を持ったガイドを構成しており、お年寄りや、障害者でもキー１２の挿入がやり易いように構成している。
【００１３】
【発明の効果】
本発明は、以上の如く構成したので、次のような効果を奏するのである。
住宅の玄関に配置するプッシュプル式玄関錠機構において、室内側バーハンドル４はプッシュにより開放すべく構成し、室外側バーハンドル５はプルにより開放すべく構成し、室内側バーハンドル４の上下長さｘを、室外側バーハンドル５の上下長さｙよりも短く構成したので、室内側の室内側バーハンドル４の上方の位置に、ドアスコープを配置する為の空間を設けることが可能となり、また室外側のドアスコープの位置には、室外側バーハンドル５が配置されているので、室外の外来者には、このドアスコープからの覗かれている状態に気付かないという利点があるのである。
【００１４】
また、室内側バーハンドルアーム１４の距離ａを、室外側バーハンドルアーム１５の距離ｂよりも大に構成したので、室内側バーハンドル４をプッシュ操作する場合の方が、室外側バーハンドル５をプル操作する場合よりも、筋肉の力が作用し難いのであるが、室内側バーハンドルアーム１４と室外側バーハンドルアーム１５の距離を変えることにより、ラッチ突起２の後退の為の操作力を同じとすることが出来るのである。
【図面の簡単な説明】
【図１】住宅のプッシュプル式玄関錠機構を外側から見た図面。
【図２】同じく本発明のプッシュプル式玄関錠機構の側面図。
【図３】同じく他の側から見た側面図。
【図４】室内側バーハンドル４と室外側バーハンドル５とロック機構体８の部分の組立前の状態を示す側面図。
【図５】本発明のプッシュプル式玄関錠機構を室内側から見た図面。
【図６】本発明のプッシュプル式玄関錠機構を室外側から見た図面。
【図７】本発明のプッシュプル式玄関錠機構の平面図。
【図８】同じくプッシュプル式玄関錠機構の底面図。
【図９】室内側バーハンドル４と室外側バーハンドル５の部分の拡大平面図。
【図１０】ストライク１３とラッチ突起２と施錠突起９の部分の斜視図。
【図１１】キー１２を施錠機構１１に差し込む状態を示す斜視図。
【符号の説明】
１  玄関ドア
２  ラッチ突起
３  補助玄関ドア
４  室内側バーハンドル
５  室外側バーハンドル
６  室内側取付ブラケット
７  室外側取付ブラケット
８  ロック機構体
９  施錠突起
１０  サムターン
１１  施錠機構
１２  キー
１３  ストライク
１４  室内側バーハンドルアーム
１５  室外側バーハンドルアーム
１６  玄関枠
１７・１８  締結ボルト
１９・２０  ボルト
２３  差し込み口
【図１】
0003540112.tif 000002
【図２】
0003540112.tif 000003
【図３】
0003540112.tif 000004
【図４】
0003540112.tif 000005
【図５】
0003540112.tif 000006
【図６】
0003540112.tif 000007
【図７】
0003540112.tif 000008
【図８】
0003540112.tif 000009
【図９】
0003540112.tif 000010
【図１０】
0003540112.tif 000011
【図１１】
0003540112.tif 000012